(57)【要約】  この発光モジュール（１Ａ）は、透明基板（１００）と、透明基板（１００）の一方の主表面側に設けられる発光領域（Ｒ１）および発光領域（Ｒ１）の周辺部に設けられる非発光領域（Ｒ２）を有する電界発光素子（Ｌ１）と、透明基板（１００）の他方の主表面側に設けられ、少なくとも発光領域（Ｒ１）に対向する位置を覆うように設けられる光吸収層（２００）と、透明基板（１００）の他方の主表面側に設けられ、少なくとも非発光領域（Ｒ２）に対向する位置を覆うように設けられる光反射層（３００）と、を備え、光吸収層（２００）は、光を吸収する光吸収特性を有するとともに、光吸収特性に波長依存性を有し、光反射層（３００）は、光を反射する光反射特性を有するとともに、光反射特性に波長依存性を有し、電界発光素子（Ｌ１）の非発光時において、透明基板（１００）の一方の主表面上において、発光領域（Ｒ１）と非発光領域（Ｒ２）とにおいては、光の反射特性が略同じ、または、光の反射特性の差が所定の範囲内である。
2017217111.tif 000002
【特許請求の範囲】
【請求項１】
透明基板と、
前記透明基板の一方の主表面側に設けられる発光領域および前記発光領域の周辺部に設けられる非発光領域を有する電界発光素子と、
前記透明基板の他方の主表面側に設けられ、少なくとも前記発光領域に対向する位置を覆うように設けられる光吸収層と、
前記透明基板の他方の主表面側に設けられ、少なくとも前記非発光領域に対向する位置を覆うように設けられる光反射層と、を備え、
前記光吸収層は、光を吸収する光吸収特性を有するとともに、前記光吸収特性に波長依存性を有し、
前記光反射層は、光を反射する光反射特性を有するとともに、前記光反射特性に波長依存性を有し、
前記電界発光素子の非発光時において、前記透明基板の一方の主表面上において、前記発光領域と前記非発光領域とにおいては、光の反射特性が略同じ、または、光の反射特性の差が所定の範囲内である、発光モジュール。
【請求項２】
前記電界発光素子の非発光時において、太陽光に近い光源Ｄ６５を前記透明基板の他方の主表面側から前記光吸収層および前記光反射層に照射した場合に、前記発光領域上、および、前記非発光領域上における反射光のｘｙ色度を測定したｘ値およびｙ値が、下記の条件式（１）を満足する、請求項１に記載の発光モジュール。
ｘ（Ｒ１）―ｘ（Ｒ２）＜０．１、および、ｙ（Ｒ１）―ｙ（Ｒ２）＜０．１・・・式（１）。ｘ（Ｒ１）は、発光領域におけるｘ値である。ｘ（Ｒ２）は、非発光領域におけるｘ値である。ｙ（Ｒ１）は、発光領域におけるｙ値である。ｙ（Ｒ２）は、非発光領域におけるｙ値である。
【請求項３】
前記透明基板の他方の主表面上に前記光吸収層が設けられ、前記光吸収層の上に前記光反射層が設けられている、請求項１または請求項２に記載の発光モジュール。
【請求項４】
前記透明基板の他方の主表面上に前記光反射層が設けられ、前記光反射層の上に前記光吸収層が設けられている、請求項１または請求項２に記載の発光モジュール。
【請求項５】
前記光反射層は、拡散特性を有する、請求項１から請求項４のいずれか１項に記載の発光モジュール。
【請求項６】
前記電界発光素子の非発光時において、前記発光領域および前記非発光領域の反射光の色とは異なる反射光の色とするための反射手段を有する、請求項１から請求項５のいずれか１項に記載の発光モジュール。
【請求項７】
前記電界発光素子の前記発光領域の大きさは、１ｍｍ２以上である、請求項１から請求項６のいずれか１項に記載の発光モジュール。
【請求項８】
前記電界発光素子の発光波長は、単色である、請求項１から請求項７のいずれか１項に記載の発光モジュール。
【請求項９】
前記電界発光素子の前記発光領域における最も反射が強い波長を波長Ａとし、前記発光領域の発光波長を波長Ｂとした場合、波長Ａと波長Ｂとは補色の関係にある、請求項１から請求項８のいずれか１項に記載の発光モジュール。
【請求項１０】
前記電界発光素子の反射特性の波長Ａと波長Ｂと間の差よりも、前記吸収層の透過特性の波長Ａと波長Ｂとの差の方が大きい、請求項９に記載の発光モジュール。
【請求項１１】
前記電界発光素子は、有機ＥＬであり、前記有機ＥＬの発光点から見たとき、前記透明基板の反対側に前記光吸収層および前記光反射層が設けられている、請求項１から請求項１０のいずれか１項に記載の発光モジュール。
【請求項１２】
前記電界発光素子は、有機ＥＬであり、前記有機ＥＬの発光点から見たとき、前記有機ＥＬの発光点と前記透明基板との間に前記光吸収層および前記光反射層が設けられている、請求項１から請求項１０のいずれか１項に記載の発光モジュール。
【請求項１３】
前記電界発光素子は、有機ＥＬであり、前記有機ＥＬの発光点から見たとき、前記透明基板の反対側に光拡散層が設けられている、請求項１から請求項１２のいずれか１項に記載の発光モジュール。
【請求項１４】
前記電界発光素子は、有機ＥＬであり、前記有機ＥＬの発光点から見たとき、前記有機ＥＬの発光点と前記透明基板との間に光拡散層が設けられている、請求項１から請求項１２のいずれか１項に記載の発光モジュール。
【請求項１５】
当該発光モジュールにおける前記発光領域および前記非発光領域の反射率がともに５０％以上である、請求項１から請求項１４のいずれか１項に記載の発光モジュール。
【請求項１６】
当該発光モジュールにおける前記発光領域および前記非発光領域のヘイズ値が略同じである、請求項１から請求項１５のいずれか１項に記載の発光モジュール。
【請求項１７】
当該発光モジュールにおける前記発光領域および前記非発光領域の反射率が略同じである、請求項１から請求項１６のいずれか１項に記載の発光モジュール。
【請求項１８】
前記発光領域の周囲を囲むように前記非発光領域が設けられ、前記光反射層は、前記発光領域と前記非発光領域との境界を覆うように前記非発光領域を覆うとともに、前記発光領域を開口するように設けられている、請求項１から請求項１７のいずれか１項に記載の発光モジュール。
【請求項１９】
前記光反射層の開口輪郭で意匠表現がなされている、請求項１８に記載の発光モジュール。
【請求項２０】
前記光吸収層は、前記電界発光素子の前記発光領域および前記発光領域をともに覆っている、請求項１から請求項１９のいずれか１項に記載の発光モジュール。
【発明の詳細な説明】
【技術分野】
【０００１】
本発明は、発光モジュールの構造に関する。
【背景技術】
【０００２】
近年、有機ＥＬ（Organic  Electroluminescence）素子の開発が各社進んでおり、面光源・薄型・フレキシブルなどの利点から新しい光源として期待されている。照明光源はもちろんであるが、光源自体を視認させる“サイン”としてのアプリケーションに使うことも想定されている。たとえば、自動車のテールランプ、電化製品のインジケータなどが好例である。そういった用途の場合、白色以外の発色設計にすることも考えられる。また、消灯時の外観も非常に重要な要素となる。このような有機ＥＬ素子を用いた発光モジュールが、特開２０１１−２９１３７号公報（特許文献１）に開示されている。
【先行技術文献】
【特許文献】
【０００３】
【特許文献１】特開２０１１−２９１３７号公報
【発明の概要】
【発明が解決しようとする課題】
【０００４】
有機ＥＬ素子は、その多層膜構造から外光の反射特性に波長依存性があり、消灯時の外観が色づいて見えることが知られている。特に単色発光素子に関して光取出し設計を最適化した場合は、発光波長と補色の関係にある色が顕著に反射して見えることから、これを抑制することが課題となっている。この課題に対する解決方法として、所定の波長の光を吸収する色吸収フィルタを重ね、消灯時の見た目を調整する方法が、上記特許文献１に開示されている。【０００５】
発光領域上においては上記のような色つきが問題となる一方、発光領域周辺に存在する電極取出し部などの非発光領域においては、有機層が積層されていない領域であるため、色つきが問題とならない場合が多い。そのため、上記の色吸収フィルタを用いた方法を適用した場合、非発光領域と発光領域で消灯時（非発光時）の色が異なってしまうという新たな課題が発生する。【０００６】
したがって、本発明は上記課題に鑑みてなされたものであり、電界発光素子の非発光時において発光領域と非発光領域との反射光の色を揃えることを可能とする発光モジュールを提供する。
【課題を解決するための手段】
【０００７】
ある実施の形態に従う発光モジュールにおいては、透明基板と、上記透明基板の一方の主表面側に設けられる発光領域および上記発光領域の周辺部に設けられる非発光領域を有する電界発光素子と、上記透明基板の他方の主表面側に設けられ、少なくとも上記発光領域に対向する位置を覆うように設けられる光吸収層と、上記透明基板の他方の主表面側に設けられ、少なくとも上記非発光領域に対向する位置を覆うように設けられる光反射層とを備える。【０００８】
上記光吸収層は、光を吸収する光吸収特性を有するとともに、上記光吸収特性に波長依存性を有し、上記光反射層は、光を反射する光反射特性を有するとともに、上記光反射特性に波長依存性を有し、上記電界発光素子の非発光時において、上記透明基板の一方の主表面上において、上記発光領域と上記非発光領域とにおいては、光の反射特性が略同じ、または、光の反射特性の差が所定の範囲内である。
【発明の効果】
【０００９】
この発明は、電界発光素子の非発光時において発光領域と非発光領域との反射光の色を揃えることを可能とする発光モジュールを提供する。
【図面の簡単な説明】
【００１０】
【図１】発光モジュールの基本構成を示す平面図である。
【図２】図１中のＩＩ−ＩＩ線矢視断面図である。
【図３】光吸収層が設けられた発光モジュールの断面図である。
【図４】陰影現象を示す第１模式図である。
【図５】陰影現象を示す第２模式図である。
【図６】実施の形態１における発光モジュールの断面図である。
【図７】実施の形態２における発光モジュールの断面図である。
【図８】実施の形態３における発光モジュールの断面図である。
【図９】実施の形態４における発光モジュールの断面図である。
【図１０】実施の形態５における発光モジュールの断面図である。
【図１１】実施の形態６における発光モジュールの平面図である。
【図１２】光吸収層および光反射層を設けていない状態の発光モジュールの断面図である。
【図１３】光吸収層および光反射層を設けた状態の発光モジュールの断面図である。
【図１４】透明基板と光吸収層との間に光拡散層を設けた場合の発光モジュールの断面を示す図である。
【図１５】電界発光素子と透明基板との間に光拡散層を設けた場合の発光モジュールの断面を示す図である。
【発明を実施するための形態】
【００１１】
本発明に基づいた各実施の形態における発光モジュールについて、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。図においては、実際の寸法比率では記載しておらず、構造の理解を容易にするために、比率を異ならせて記載している。
【００１２】
以下に示す各実施の形態においては、電界発光素子として、有機ＥＬ（Organic  Electroluminescence）を用いた発光素子を採用しているが、発光ダイオード等、その他の電界を印加することで発光する素子を用いることも可能である。
【００１３】
（基本構成：発光モジュール１）
図１および図２を参照して、発光モジュール１の基本構成について説明する。図１は、発光モジュール１の基本構成を示す平面図、図２は、図１中のＩＩ−ＩＩ線矢視断面図、図３は、光吸収層が設けられた発光モジュール１の断面図である。
【００１４】
有機ＥＬを用いた発光モジュール１の構造について説明する。透明基板１００の上に透明電極（陽極）１１０、有機発光層１４０、反射電極（陰極）１５０が、この順で積層されている。透明電極１１０、有機発光層１４０、および、反射電極１５０は封止部材１６０で封止されている。
【００１５】
この発光モジュール１では、透明電極１１０を外方に露出させることで、陽極の取出電極１１０ａを構成している。透明電極１１０と反射電極１５０との短絡を防ぐために、絶縁層１２０が設けられている。反射電極１５０には、引出電極１３０が設けられている。
【００１６】
透明電極（陽極）１１０、有機発光層１４０、反射電極（陰極）１５０、透明電極１１０、有機発光層１４０、反射電極１５０、引出電極１３０、および、封止部材１６０により電界発光素子Ｌ１が構成される。
【００１７】
発光モジュール１には、発光領域Ｒ１と、発光領域の周辺に存在する非発光領域Ｒ２とが存在する。本実施の形態では、有機発光層１４０が設けられている領域を発光領域Ｒ１と称し、有機発光層１４０が設けられていない領域を、非発光領域Ｒ２と称する。以下に示す各実施の形態においても同様である。
【００１８】
有機発光層１４０は陽極および陰極に挟まれていて電圧が印加されることで発光する。透明基板１００には、可撓性のある樹脂基材、ガラスなどが用いられている。有機発光層１４０は複数の材料を用いて複数色で光る構成にしても良いが、単色発光とした場合において、特に課題が顕在化する傾向にある。
【００１９】
発光色が「単色発光」であるとは、国際照明委員会（ＣＩＥ）の定める白色光からの色座標が十分離れていることを意味する。特に、１９７８年にアルヴィ・レイ・スミス（Ａｌｖｙ  Ｒａｙ  Ｓｍｉｔｈ）によって考案されたＨＳＶ色空間で見たときには彩度が５０％以上であることが望ましく、国際照明委員会（ＣＩＥ）の定めるＹｘｙ色空間で見たときには白色６５００Ｋの白色点からのｘｙ距離が０．１以上あることが望ましい。
【００２０】
有機発光層１４０は駆動電圧低減の目的で、正孔注入層、電子輸送層などの機能層を複数積層した構成であることが多い。有機発光層１４０の設計次第では、層の総数が１０層以上となることもある。各機能層の厚みは数ｎｍ〜数μｍ程度であるため、発光モジュール１全体としては、誘電体多層膜のような振る舞いを示す。各層の厚みを変えれば、光取出し効率が変化することが知られており、各層の厚さをパラメータとして最適化設計を行なうことで、高い光取出し効率の素子作成を行うことができる。
【００２１】
有機発光層１４０はさらに詳細に、透明電極（陽極）／正孔注入層（ＨＩＬ：Ｈｏｌｅ  Ｉｎｊｅｃｔｉｏｎ  Ｌａｙｅｒ）／正孔輸送層（ＨＴＬ：Ｈｏｌｅ  Ｔｒａｎｓｆｅｒ  Ｌａｙｅｒ）／光子発生層（ＥＭＬ：ＥＭｉｓｓｉｖｅ  Ｌａｙｅｒ）／電子輸送層（ＥＴＬ：Ｅｌｅｃｔｒｏｎ  Ｔｒａｎｓｆｅｒ  Ｌａｙｅｒ）／電子注入層（ＥＩＬ：Ｅｌｅｃｔｒｏｎ  Ｉｎｊｅｃｔｉｏｎ  Ｌａｙｅｒ）／反射電極（陰極）により構成される。
【００２２】
他に、たとえば陽極／光子発生層／電子輸送層／陰極からなるもの、陽極／正孔輸送層／光子発生層／電子輸送層／陰極からなるもの、陽極／正孔輸送層／光子発生層／正孔阻止層／電子輸送層／陰極からなるもの、陽極／正孔輸送層／光子発生層／正孔阻止層／電子輸送層／陰極バッファー層／陰極からなるもの、陽極／陽極バッファー層／正孔輸送層／光子発生層ユニット／正孔阻止層／電子輸送層／陰極バッファー層／陰極からなるものが挙げられるが、本実施の形態はこれらに限定されるものではない。
【００２３】
しかしながら、各層の厚さを変化させると反射光の波長依存性も変化し、単色の光取出し効率を最適化した設計では、最適化した色と補色関係にある色の反射率が高くなることが多い。
【００２４】
たとえば、赤色発光素子の場合、緑色の外観となってしまう。外観品位としては、消灯時は、赤色、銀色、灰色などが好まれる場合が多いため、これは大きな課題となっている。さらに、陽極にＩＴＯではなく、薄膜ＡｇやＡｇ化合物などを用いた場合、陽極上での色分散が激しいため、反射光の波長依存性が大きくなり、より消灯時の色づきが目立ってしまう。
【００２５】
図３に、上記課題を解決した発光モジュール１Ｚを示す。この発光モジュール１Ｚは、透明基板１００の上に光吸収層２００を重ねる構成を採用している。これにより、電界発光素子Ｌ１の非発光時における、発光領域Ｒ１上の反射色を制御することができる。
【００２６】
しかし、非発光領域Ｒ２上には有機発光層１４０が積層されていないため、有機発光層１４０上と反射特性が異なり、発光領域Ｒ１と非発光領域Ｒ２との間において、電界発光素子Ｌ１の非発光時における、消灯時外観に差が生じてしまう。
【００２７】
特に、発光領域Ｒ１の周囲を囲むように非発光領域Ｒ２が存在し、発光領域Ｒ１の外観を灰色、銀色などを目指して光吸収層２００で補正するとき、補正前の色と補色関係の色が非発光領域Ｒ２上の色（反射光）となる。この結果、色陰現象（灰色の周囲に色がついている場合、周囲の色の補色が灰色に重なって見える錯視現象）により、発光領域Ｒ１上の色は補正前の色に見えてしまい、補正の意味が無くなってしまう。
【００２８】
図４および図５に、陰影現象を示す第１および第２模式図を示す。たとえば、光吸収層２００を設けない場合での、電界発光素子Ｌ１の非発光時においては、発光領域Ｒ１は、灰色（銀色）色、非発光領域Ｒ２は緑色となる。一方、光吸収層２００を設けた補正後の電界発光素子Ｌ１の非発光時においては、発光領域Ｒ１は灰色（銀色）となるものの、非発光領域Ｒ２は緑色に対して補色関係の赤色となり、補正の意味が無くなってしまう。
【００２９】
（実施の形態１：発光モジュール１Ａ）
図６に、本実施の形態の発光モジュール１Ａの断面構造を示す。図１から図３に示す発光モジュール１と同一の構成については、同一の参照符号を付し、重複する説明は繰り返さない。図６は、発光モジュール１Ａの断面図であり、図１中のＩＩ−ＩＩ線矢視断面に対応している。
【００３０】
本実施の形態の発光モジュール１Ａは、透明基板１００を挟んで電界発光素子Ｌ１が設けられる側とは反対側の主面側において、発光領域Ｒ１および非発光領域Ｒ２の全面を覆うように光吸収層２００が設けられ、さらに、この光吸収層２００の上の非発光領域Ｒ２に光反射層３００が設けられている。この発光モジュール１Ａは、非発光領域Ｒ２が発光領域Ｒ１を取り囲むように設けられていることから、光反射層３００が環状に設けられ、発光領域Ｒ１に対応する部分が開口している状態となる。
【００３１】
光吸収層２００は、光を吸収する光吸収特性を有するとともに、光吸収特性に波長依存性を有している。光反射層３００は、光を反射する光反射特性を有するとともに、光反射特性に波長依存性を有している。
【００３２】
電界発光素子Ｌ１の非発光時において、透明基板１００の一方の主表面上において、発光領域Ｒ１と非発光領域Ｒ２とにおいては、光の反射特性が略同じ、または、光の反射特性の差が所定の範囲内となる。
【００３３】
光吸収層２００と光反射層３００とは分離されていることが望ましいが、境界部分は若干混ざり合っていてもよい。また、本実施の形態の効果に影響を及ぼさない範囲であれば、光吸収層２００と光反射層３００との間に別の機能層が挿入されていてもよい。
【００３４】
光吸収層２００および光反射層３００の作成には、様々な方法がある。光吸収層２００は、吸収したい波長を吸収する粒子とバインダを混ぜて作成される。カラーフィルタ、カラーテープを用いてもよい。光反射層３００に関しても、市販の反射フィルムを貼る方法でも良いし、アルミ、銀、金、銅などを成膜してもよい。
【００３５】
このように、非発光領域Ｒ２に光反射層３００を設けることで、発光モジュール１Ａの非発光時に、外部から入射した光は、発光領域Ｒ１の上では光吸収層２００により反射される。一方、非発光領域Ｒ２の上では光反射層３００で反射する。光反射層３００の反射光学特性と光吸収層２００による発光領域Ｒ１上の反射光学特性とを合わせることにより、発光モジュール１Ａの全体で面内において均一な反射特性を得ることができる。
【００３６】
反射特性とは、反射率・反射率の波長依存性（色）の２つの意味があり、少なくとも色が面内で揃っていれば、本実施の形態の効果として認められる。望ましくは反射率・色の双方が揃っていることが望ましい。
【００３７】
より好ましくは、電界発光素子Ｌ１の非発光時において、太陽光に近い光源Ｄ６５（色温度６５０４Ｋ）を透明基板１００の他方の主表面側から光吸収層２００および光反射層３００に照射した場合に、発光領域Ｒ１上、および、非発光領域Ｒ２上における反射光のｘｙ色度を測定したｘ値およびｙ値が、下記の条件式（１）を満足するとよい。ｘ値およびｙ値は、たとえば、分光測色計ＣＭ−３７００ｄ（コニカミノルタセンシング（株）製）で観測が可能である。
【００３８】
ｘ（Ｒ１）―ｘ（Ｒ２）＜０．１、および、ｙ（Ｒ１）―ｙ（Ｒ２）＜０．１・・・式（１）。ｘ（Ｒ１）は、発光領域におけるｘ値である。ｘ（Ｒ２）は、非発光領域におけるｘ値である。ｙ（Ｒ１）は、発光領域におけるｙ値である。ｙ（Ｒ２）は、非発光領域におけるｙ値である。
【００３９】
上記式（１）を満足することで、電界発光素子Ｌ１の非発光時において、透明基板１００の一方の主表面上において、発光領域Ｒ１と非発光領域Ｒ２とにおいては、光の反射特性が略同じ、または、光の反射特性の差が所定の範囲内にすることができる。
【００４０】
（実施の形態２：発光モジュール１Ｂ）
次に、図７を参照して、実施の形態２における発光モジュール１Ｂについて説明する。図７は、発光モジュール１Ｂの断面図であり、図１中のＩＩ−ＩＩ線矢視断面に対応している。
【００４１】
本実施の形態の発光モジュール１Ｂは、上記実施の形態１における発光モジュール１Ａと基本的構成は同じである。相違点は、光反射層３００は、発光領域Ｒ１と非発光領域Ｒ２との境界を覆うように設けられている点にある。
【００４２】
つまり、光反射層３００が、発光領域Ｒ１にまで延在するように設けられている。好ましくは、１００μｍ以上延在していることが好ましい。これにより、斜め方向から視認しても非発光領域Ｒ２が見えにくくなる。一方、１０ｍｍ以下にすることで、発光領域Ｒ１における光取り出し効果が損なわれることはない。さらに、光反射層３００の設置範囲を発光領域Ｒ１にまで延在するようにすることで、光反射層３００の成膜時に必要な位置決めアライメント精度を軽減する効果も得られる。
【００４３】
一方、電界発光素子Ｌ１の非発光時を考えると、発光領域Ｒ１の周端部での発光は光反射層３００に若干妨げられ、発光効率低下を招く懸念が存在する。そこで、光反射層３００は電界発光素子Ｌ１に向いている面にも反射特性を持つ構成とすれば、発光領域Ｒ１に延在する光反射層３００と多重反射を繰り返した後、発光領域Ｒ１から出射され、発光効率の低下を最小限にすることができる。
【００４４】
（実施の形態３：発光モジュール１Ｃ）
次に、図８を参照して、実施の形態３における発光モジュール１Ｃについて説明する。図８は、発光モジュール１Ｃの断面図であり、図１中のＩＩ−ＩＩ線矢視断面に対応している。
【００４５】
本実施の形態の発光モジュール１Ｃは、上記実施の形態１における発光モジュール１Ａと基本的構成は同じである。相違点は、透明基板１００の上に光反射層３００が設けられ、光反射層３００の上に光吸収層２００が設けられている。この構成によっても、実施の形態１と同様の作用効果を得ることができるとともに、非発光領域Ｒ２と発光領域Ｒ１の反射特性を容易にそろえることが可能となる。
【００４６】
（実施の形態４：発光モジュール１Ｄ）
次に、図９を参照して、実施の形態４における発光モジュール１Ｄについて説明する。図９は、発光モジュール１Ｄの断面図であり、図１中のＩＩ−ＩＩ線矢視断面に対応している。
【００４７】
本実施の形態の発光モジュール１Ｄは、上記実施の形態１における発光モジュール１Ａと基本的構成は同じである。相違点は、透明基板１００の下に光反射層３００および光吸収層２００が形成され、光吸収層２００の下に電界発光素子Ｌ１が設けられている点にある。
【００４８】
なお、図９では、透明基板１００側に光反射層３００、電界発光素子Ｌ１側に光吸収層２００が設けられる構成を図示しているが、透明基板１００側に光吸収層２００、電界発光素子Ｌ１側に光反射層３００を設けてもよい。
【００４９】
実施の形態１における発光モジュール１Ａは、電界発光素子Ｌ１の発光点Ｐ１から見たとき、透明基板１００の反対側に光吸収層２００および光反射層３００が設けられていたが、本実施の形態における発光モジュール１Ｃは、電界発光素子Ｌ１の発光点Ｐ１から見たとき、電界発光素子Ｌ１の発光点Ｐ１と透明基板１００との間に光吸収層２００および光反射層３００が設けられている。ここで、電界発光素子Ｌ１の発光点Ｐ１とは、電界発光素子Ｌ１が有する発光層の積層方向高さの略中心位置を意味する。
【００５０】
この構成を採用することで、透明基板１００に光反射層３００を形成して、反射特性を出す加工をした後に、光吸収層２００および電界発光素子Ｌ１の成膜が可能となり、光反射層３００の波長依存性を調整することが可能となる。
【００５１】
また、透明基板１００に予め光吸収層２００および光反射層３００を形成した後に電界発光素子Ｌ１を形成する方法、または、電界発光素子Ｌ１に光吸収層２００および光反射層３００を形成した後に透明基板１００に積載する方法のいずれの方法も採用することができる。
【００５２】
また、市販の拡散フィルムに光吸収層２００を製膜してから電界発光素子Ｌ１に貼り付けてもよい。カラーテープに光反射層３００を製膜してから電界発光素子Ｌ１に貼り付けて光学密着させてもよい。光吸収層２００および光反射層３００ともに拡散特性を持っていてもよい。
【００５３】
（実施の形態５：発光モジュール１Ｅ）
次に、図１０を参照して、実施の形態５における発光モジュール１Ｄについて説明する。図１０は、発光モジュール１Ｅの断面図であり、図１中のＩＩ−ＩＩ線矢視断面に対応している。
【００５４】
本実施の形態の発光モジュール１Ｅは、上記実施の形態１における発光モジュール１Ａと基本的構成は同じである。相違点は、透明基板１００の上に光吸収層２００および光反射層３００が直接設けられている。この構成によっても、実施の形態１と同様の作用効果を得ることができる。
【００５５】
（実施の形態６：発光モジュール１Ｆ）
次に、図１１を参照して、実施の形態６における発光モジュール１Ｆについて説明する。図１１は、発光モジュール１Ｆの平面図である。上記各実施の形態における発光モジュールにおいては、副次的な効果として、発光領域Ｒ１と非発光領域Ｒ２との境界部分が強く光るため、発光領域Ｒ１と非発光領域Ｒ２との境界の輪郭を強調することで、発光形状を効果も得られる。図１１では、リンゴの形状を変形させた発光形状を図示しているが、発光形状としては、様々な形状が考えられる。
【００５６】
これは、単色発光素子の有力なアプリケーション候補である「意匠性のある面発光モジュール（見られる光源、見せる光源）」にとっては非常に意味のある効果である。加えて、発光形状を光反射層３００のみで決定できることから、光反射層３００の配置形状を工夫することで、様々な意匠表現を可能にする。
【００５７】
（各実施の形態の共通事項）
以下には、上記各実施の形態における共通事項について説明する。上記各実施の形態において、光反射層３００の電界発光素子Ｌ１側の面に散乱反射特性を持たせることで多重反射を繰り返した後で光を外部に導き出すことが期待でき、発光効率向上により大きく寄与させることができる。
【００５８】
上記各実施の形態において、電界発光素子Ｌ１の非発光時において、発光領域Ｒ１および非発光領域Ｒ２の反射光の色とは異なる反射光の色とするための反射手段を設けるようにしてもよい。通常は、上記各実施の形態においては、電界発光素子Ｌ１の非発光時には、全面が銀色または灰色となるようにしているが、要求される仕様によっては、発光領域Ｒ１および非発光領域Ｒ２の両領域において全面が緑色、赤色等、または、その他の色に見えるようにする必要がある場合があるからである。
【００５９】
ここで、図１２および図１３を参照して、具体的な事例について説明する。図１２は、光吸収層２００および光反射層３００を設けていない状態の発光モジュールの断面を示し、図１３は、光吸収層２００および光反射層３００を設けた状態の発光モジュールの断面を示している。
【００６０】
たとえば、灯時の反射光の色が元々波長Ａ＋Ｂで、全面で反射光の色を波長Ｂ（たとえば「赤」）にしたい場合を考える。波長Ａを吸収する光吸収層２００を発光領域に配置し、非発光領域には波長Ｂのみを反射する光反射層３００を設けるとよい。これにより、全面で反射光の色を波長Ｂにすることができる（図１３の状態）。
【００６１】
消灯時の反射光の色が元々銀色で、全面で反射光の色を波長Ｃ（たとえば「緑」）にしたい場合、波長Ｃ以外の光を吸収する光吸収層２００を発光領域に配置し、非発光領域には波長Ｃのみを反射する光反射層３００を設けるとよい。これにより、全面で反射光の色を波長Ｃにすることができる。
【００６２】
上記各実施の形態において、電界発光素子Ｌ１の発光領域Ｒ１の大きさは、１ｍｍ２以上であるとよい。これにより、ディスプレイの画素とは異なり、発光領域Ｒ１の形状を目視により確認することができる。
【００６３】
上記各実施の形態において、電界発光素子Ｌ１の発光波長は、単色であるとよい。ここで、単色とは、ＲＧＢの領域に分けたときにピークが一つの領域にしかない光を意味する。発光波長が単色を用いることで、上記実施の形態により得られる効果を高めることができる。
【００６４】
上記各実施の形態において、電界発光素子Ｌ１の発光領域Ｒ１における最も反射が強い波長を波長Ｂとし、発光領域Ｒ１の発光波長を波長Ａとした場合、波長Ａと波長Ｂとは補色の関係となる。たとえば、波長Ａが赤であれば、波長Ｂは緑となる。
【００６５】
さらに、電界発光素子Ｌ１の反射特性の波長Ａと波長Ｂと間の差よりも、光吸収層２００の透過特性の波長Ａと波長Ｂとの差の方が大きい方がよい。この場合、たとえば波長Ａが赤で波長Ｂが緑の場合、波長Ａの赤味が強くなるが、確実に補正の効果を得ることができ、緑色の外観となることを防げる。
【００６６】
上記各実施の形態において、発光モジュールにおける発光領域Ｒ１および非発光領域Ｒ２の反射率がともに５０％以上であるとよい。これにより、確実に補正の効果を得ることができる。
【００６７】
上記各実施の形態において、発光モジュールにおける発光領域Ｒ１および非発光領域Ｒ２のヘイズ値が略同じであるとよい。これにより、確実に補正の効果を得ることができる。
【００６８】
上記各実施の形態において、発光モジュールにおける発光領域Ｒ１および非発光領域Ｒ２の反射率が略同じであるとよい。これにより、確実に補正の効果を得ることができる。
【００６９】
電界発光素子Ｌ１に光透過性の有機ＥＬを用いた場合には、各実施の形態は有効である。その場合、発光領域Ｒ１上、および、非発光領域Ｒ２上の双方の反射率および透過率と色を合わせる必要がある。透明パネルにおいては、特に、非発光領域Ｒ２上と発光領域Ｒ１上の反射率が問題となるため、簡易に面内反射率を合わせることができる本実施の形態の構成には非常に有効である。
【００７０】
（光拡散層）
図１４および図１５を参照して、上記各実施の形態における発光モジュールに光拡散層を設ける場合について説明する。図１４は、透明基板１００と光吸収層２００との間に光拡散層４００を設けた場合の発光モジュール１Ｆの断面を示し、図１５は、電界発光素子Ｌ１と透明基板１００との間に光拡散層４００を設けた場合の発光モジュール１Ｇの断面を示している。
【００７１】
図１４を参照して、発光モジュール１Ｆは、透明基板１００と光吸収層２００との間に光拡散層４００が設けられている。より具体的には、電界発光素子Ｌ１は、有機ＥＬであり、この有機ＥＬの発光点Ｐ１から見たとき、透明基板１００の反対側に光拡散層４００が設けられている。
【００７２】
この発光モジュール１Ｆの光拡散層４００は、空気側と透明基板１００との間に配置される光拡散層（ＯＣＦ）である。屈折率の高い領域から低い領域に光が伝播する場合、臨界角よりも大きい角度の光は全反射を起こす。透明基板１００の屈折率は概ねｎ＝１．５で空気の屈折率はｎ＝１である。光拡散層４００がない場合、有機ＥＬからの伝播光のうち、空気との界面における全反射光は空気側に取り出されない。しかし、この光拡散層４００が全反射光を拡散させることによって、空気側に光を取り出すことができる。
【００７３】
図１５を参照して、発光モジュール１Ｇは、電界発光素子Ｌ１と透明基板１００との間に光拡散層４００が設けられている。より具体的には、電界発光素子Ｌ１は、有機ＥＬであり、この有機ＥＬの発光点Ｐ１から見たとき、有機ＥＬの発光点Ｐ１と透明基板１００との間に光拡散層４００が設けられている。
【００７４】
この発光モジュール１Ｇの光拡散層４００は、透明基板１００と有機ＥＬ（有機発光層）の発光点Ｐ１との間に配置される光拡散層（ＩＥＳ）である。有機発光層１４０の屈折率は概ねｎ＝１．８〜２．０で透明基板１００の屈折率は概ねｎ＝１．５である。光拡散層４００がない場合、有機ＥＬからの伝播光のうち透明基板１００の界面における全反射光は透明基板１００側に取り出されない。しかし、この光拡散層４００（ＩＥＳ）が全反射光を拡散させることによって、透明基板１００側に光を取り出すことができる。
【００７５】
以上、本実施の形態における発光モジュールによれば、電界発光素子Ｌ１に光吸収層２００と光反射層３００を重ねたモジュール構成としている。光吸収層２００は、カラーフィルタのように特定の色を吸収する層であり、特に強く反射する色を吸収する。一方、光反射層３００は、非発光領域Ｒ２を覆う位置に設けられる層であって、光吸収層２００によって補正された発光領域Ｒ１と同等の反射特性を示す。この構成により、発光領域Ｒ１および非発光領域Ｒ２を含めた電界発光素子Ｌ１全体の消灯時の外観を簡単にそろえることができる。さらに、電界発光素子Ｌ１から非発光領域Ｒ２上へ向かった光は、光反射層３００によって、発光領域Ｒ１上に戻って再利用されるため、発光効率改善にも貢献する。
【００７６】
以上、本実施の形態における発光モジュールにおいては、透明基板と、上記透明基板の一方の主表面側に設けられる発光領域および上記発光領域の周辺部に設けられる非発光領域を有する電界発光素子と、上記透明基板の他方の主表面側に設けられ、少なくとも上記発光領域に対向する位置を覆うように設けられる光吸収層と、上記透明基板の他方の主表面側に設けられ、少なくとも上記非発光領域に対向する位置を覆うように設けられる光反射層とを備える。
【００７７】
上記光吸収層は、光を吸収する光吸収特性を有するとともに、上記光吸収特性に波長依存性を有し、上記光反射層は、光を反射する光反射特性を有するとともに、上記光反射特性に波長依存性を有し、上記電界発光素子の非発光時において、上記透明基板の一方の主表面上において、上記発光領域と上記非発光領域とにおいては、光の反射特性が略同じ、または、光の反射特性の差が所定の範囲内である。
【００７８】
他の形態においては、上記電界発光素子の非発光時において、太陽光に近い光源Ｄ６５を上記透明基板の他方の主表面側から上記光吸収層および上記光反射層に照射した場合に、上記発光領域上、および、上記非発光領域上における反射光のｘｙ色度を測定したｘ値およびｙ値が、下記の条件式（１）を満足する。
【００７９】
ｘ（Ｒ１）―ｘ（Ｒ２）＜０．１、および、ｙ（Ｒ１）―ｙ（Ｒ２）＜０．１・・・式（１）。ｘ（Ｒ１）は、発光領域におけるｘ値である。ｘ（Ｒ２）は、非発光領域におけるｘ値である。ｙ（Ｒ１）は、発光領域におけるｙ値である。ｙ（Ｒ２）は、非発光領域におけるｙ値である。
【００８０】
他の形態においては、上記透明基板の他方の主表面上に上記光吸収層が設けられ、上記光吸収層の上に上記光反射層が設けられている。
【００８１】
他の形態においては、上記透明基板の他方の主表面上に上記光反射層が設けられ、上記光反射層の上に上記光吸収層が設けられている。
【００８２】
他の形態においては、上記光反射層は、拡散特性を有する。
他の形態においては、上記電界発光素子の非発光時において、上記発光領域および上記非発光領域の反射光の色とは異なる反射光の色とするための反射手段を有する。
【００８３】
他の形態においては、上記電界発光素子の上記発光領域の大きさは、１ｍｍ２以上である。
【００８４】
他の形態においては、上記電界発光素子の発光波長は、単色である。
他の形態においては、上記電界発光素子の上記発光領域における最も反射が強い波長を波長Ａとし、上記発光領域の発光波長を波長Ｂとした場合、波長Ａと波長Ｂとは補色の関係にある。また、上記電界発光素子の反射特性の波長Ａと波長Ｂと間の差よりも、上記吸収層の透過特性の波長Ａと波長Ｂとの差の方が大きい。
【００８５】
他の形態においては、上記電界発光素子は、有機ＥＬであり、上記有機ＥＬの発光点から見たとき、上記透明基板の反対側に上記光吸収層および上記光反射層が設けられている。
【００８６】
他の形態においては、上記電界発光素子は、有機ＥＬであり、上記有機ＥＬの発光点から見たとき、上記有機ＥＬの発光点と上記透明基板との間に上記光吸収層および上記光反射層が設けられている。
【００８７】
他の形態においては、上記電界発光素子は、有機ＥＬであり、上記有機ＥＬの発光点から見たとき、上記透明基板の反対側に光拡散層が設けられている。
【００８８】
他の形態においては、上記電界発光素子は、有機ＥＬであり、上記有機ＥＬの発光点から見たとき、上記有機ＥＬの発光点と上記透明基板との間に光拡散層が設けられている。
【００８９】
他の形態においては、当該発光モジュールにおける上記発光領域および上記非発光領域の反射率がともに５０％以上である。
【００９０】
他の形態においては、当該発光モジュールにおける上記発光領域および上記非発光領域のヘイズ値が略同じである。
【００９１】
他の形態においては、当該発光モジュールにおける上記発光領域および上記非発光領域の反射率が略同じである。
【００９２】
他の形態においては、上記発光領域の周囲を囲むように上記非発光領域が設けられ、上記光反射層は、上記発光領域と上記非発光領域との境界を覆うように上記非発光領域を覆うとともに、上記発光領域を開口するように設けられている。
【００９３】
他の形態においては、上記光反射層の開口輪郭で意匠表現がなされている。
他の形態においては、上記光吸収層は、上記電界発光素子の上記発光領域および上記発光領域をともに覆っている。
【００９４】
以上、本発明の各実施の形態における照明装置について説明したが、今回開示された実施の形態は全ての点で例示であって制限的なものではないと考えられるべきである。したがって、本発明の範囲は請求の範囲によって示され、請求の範囲と均等の意味および範囲内での全ての変更が含まれることが意図される。
【符号の説明】
【００９５】
１，１Ａ，１Ｂ，１Ｃ，１Ｄ，１Ｅ，１Ｆ  発光モジュール、１００  透明基板、１１０  透明電極、１１０ａ  取出電極、１２０  絶縁層、１３０  引出電極、１４０  有機発光層、１５０  反射電極、１６０  封止部材、２００  光吸収層、３００  光反射層、Ｌ１  電界発光素子、Ｐ１  発光点、Ｒ１  発光領域、Ｒ２  非発光領域。
【図１】
2017217111.tif 000003
【図２】
2017217111.tif 000004
【図３】
2017217111.tif 000005
【図４】
2017217111.tif 000006
【図５】
2017217111.tif 000007
【図６】
2017217111.tif 000008
【図７】
2017217111.tif 000009
【図８】
2017217111.tif 000010
【図９】
2017217111.tif 000011
【図１０】
2017217111.tif 000012
【図１１】
2017217111.tif 000013
【図１２】
2017217111.tif 000014
【図１３】
2017217111.tif 000015
【図１４】
2017217111.tif 000016
【図１５】
2017217111.tif 000017
【国際調査報告】
2017217111.tif 000018
2017217111.tif 000019
2017217111.tif 000020
2017217111.tif 000021